(57)【特許請求の範囲】
【請求項１】
送風機および圧縮機が搭載されたほぼ矩形状のベース板と、上記ベース板の少なくとも側面側に配置された熱交換器と、上記ベース板の前面側に配置されたベルマウスを有するファンリングと、上記ファンリングおよび上記熱交換器を上から押さえるように上記ベース板に被せられる外胴とを含み、上記送風機のプロペラファンの少なくとも一部分を上記ベルマウスに臨ませてなるスプリット型エアコンの室外機において、
上記ファンリングの上部には、上記外胴の天井側を補強する天井補強板が設けられ、上記天井補強板側に上記ベルマウスの一部分が形成されていることを特徴とするスプリット型エアコンの室外機。
【請求項２】
上記ベース板の左右両側に、各一端側の一部分が背面側に回り込むようにほぼＬ字状に折り曲げられた左右一対の熱交換器が配置されるとともに、上記ベース板の背面側のほぼ中央部に上記圧縮機が配置され、上記圧縮機が上記各熱交換器の背面側端部間に配置される開口部を有する仕切り板で囲まれており、上記仕切り板の前面側にモータ支持台を介して上記送風機が配置されるとともに、上記ベース板の前面側に上記ファンリングが配置され、上記外胴が上記ファンリングおよび上記各熱交換器の上から被せられ、上記外胴の天井面が上記仕切り板で支持され、かつ、上記仕切り板の開口部内に電装品箱と操作弁取付基板とが取り付けられる請求項１に記載のスプリット型エアコンの室外機。
【請求項３】
上記ベース板側にも、上記ベルマウスの一部分が形成されている請求項１または２に記載のスプリット型エアコンの室外機。
【請求項４】
上記天井補強板は、上記熱交換器に対する係止手段を備えている請求項１，２または３に記載のスプリット型エアコンの室外機。
【請求項５】
上記ファンリングの前面に、グリル中央部が外側に向けて円弧状に膨出された空気吹出しグリルが取り付けられ、上記プロペラファンの翼後縁が上記グリル中央部側に向かって所定寸法延長されている請求項１ないし４のいずれか１項に記載のスプリット型エアコンの室外機。
【請求項６】
送風機および圧縮機が搭載されたほぼ矩形状のベース板と、上記ベース板の側面側に配置された熱交換器と、上記ベース板の前面側に配置されたベルマウスを有するファンリングと、上記ファンリングおよび上記熱交換器を上から押さえるように上記ベース板に被せられる外胴とを含み、上記送風機のプロペラファンの少なくとも一部分が上記ベルマウス内に入り込むように配置されているスプリット型エアコンの室外機において、
上記ベルマウスの少なくとも上記外胴の天井側の一部分が切り欠かれており、上記ベルマウスの残余の部分が上記プロペラファンによる風速分布が一様となるように楕円状に形成されていることを特徴とするスプリット型エアコンの室外機。
【発明の詳細な説明】
【０００１】
【発明の属する技術分野】
本発明はスプリット型エアコンの室外機に関し、さらに詳しく言えば、送風機のファン径やベルマウス径による制約を受けることなく筐体の高さ寸法をより低くし得るとともに、筐体の剛性が高く、よりコンパクト化が可能なスプリット型エアコンの室外機に関するものである。
【０００２】
【従来の技術】
スプリット型エアコン（空気調和機）においては、室内機と室外機とが配管を介して接続され、室外機は屋外の例えば庭先やベランダ、屋根上などに設置される。図１９に、一般的な室外機の内部構造を平面視にて模式的に示す。
【０００３】
通常、室外機は箱形の筐体１を備え、その内部には熱交換器２、送風ファン３および圧縮機４などが収納されている。多くの場合、熱交換器２は一つであり、筐体１の一つ面に沿って平面的に配置されるものもあるが、通常においては、この例のように、筐体１の２つの面に沿ってほぼＬ字型に配置されている。
【０００４】
その関係上、圧縮機４は筐体１のコーナーに設置され、また、送風ファン３は熱交換器２の下流側に配置されている。なお、図示されていないが、圧縮機４の周辺には電装品箱や操作弁取付基板などが設けられている。
【０００５】
【発明が解決しようとする課題】
しかしながら、このような部品配置では次のような課題があった。まず、熱交換器が一つでＬ字型配置であるため、性能を落とすことなく小型化するにも自ずと限界があった。特に、高さ寸法については、送風機のプロペラファン径およびベルマウス径の制約を受けることになるため、低背化が困難であった。
【０００６】
したがって、例えば今まで使用していた一体型エアコンに代えてスプリット型エアコンを買い換えた場合について言えば、一体型エアコン設置用として壁孔から屋外側に張り出すように設計された既設の設置台に室外機を置くことになるが、従来の室外機は一様に大きすぎるため、既設の設置台を改造しなければならないなどの不便さがあった。
【０００７】
また、筐体が天井面側からの荷重に対して弱く変形をきたしやすい。圧縮機の周りに特に仕切り板が設けられていないため、運転時に騒音が外に出やすい。また、送風ファンについても、主として筐体のベース板側に支持されているため、運転時の振動がベース板で増幅された後筐体全体に伝達され、極端な場合には共振により大きな騒音が発生する。また、例えば搬送時の落下衝撃などにより、ベース板が変形した場合圧縮機が傾いてしまい、そのまま設置されて運転されることがある。
【０００８】
さらには、圧縮機が筐体のコーナー部に配置されているため、室外機の重心が偏っている。すなわち、重量バランスが悪いため持ち運びにくく、特に梯子などで高所に持ち上げる場合に作業者に余計な負担を強いることになる。
【０００９】
【課題を解決するための手段】
本発明によれば、送風性能を維持しながら、送風機のプロペラファン径やベルマウス径による制約を受けることなく筐体の高さ寸法をより低くすることができる。また、筐体の剛性が高く、運転時の騒音・振動がともに少なく、また全体の重量バランスをも良好なスプリット型エアコンの室外機が提供される。
【００１０】
上記目的を達成するため、本発明は、送風機および圧縮機が搭載されたほぼ矩形状のベース板と、上記ベース板の少なくとも側面側に配置された熱交換器と、上記ベース板の前面側に配置されたベルマウスを有するファンリングと、上記ファンリングおよび上記熱交換器を上から押さえるように上記ベース板に被せられる外胴とを含み、上記送風機のプロペラファンの少なくとも一部分を上記ベルマウスに臨ませてなるスプリット型エアコンの室外機において、上記ファンリングの上部には、上記外胴の天井側を補強する天井補強板が設けられ、上記天井補強板側に上記ベルマウスの一部分が形成されていることを特徴としている。
【００１１】
このように、天井補強板側にベルマウスの一部分を形成したことにより、送風性能を維持しながら、送風機のプロペラファン径やベルマウス径による制約を受けることなく筐体の高さ寸法をより低くすることができる。なお、場合によっては、ベース板側にもベルマウスの一部分が形成されてよい。
【００１２】
本発明の好ましい態様によれば、上記ベース板の左右両側に、各一端側の一部分が背面側に回り込むようにほぼＬ字状に折り曲げられた左右一対の熱交換器が配置されるとともに、上記ベース板の背面側のほぼ中央部に上記圧縮機が配置され、上記圧縮機が上記各熱交換器の背面側端部間に配置される開口部を有する仕切り板で囲まれており、上記仕切り板の前面側にモータ支持台を介して上記送風機が配置されるとともに、上記ベース板の前面側に上記ファンリングが配置され、上記外胴が上記ファンリングおよび上記各熱交換器の上から被せられ、上記外胴の天井面が上記仕切り板で支持され、かつ、上記仕切り板の開口部内に電装品箱と操作弁取付基板とが取り付けられる。
【００１３】
これにより、筐体の剛性が高められるとともに、運転時の騒音・振動の低減が図れ、また全体の重量バランスをも良好とすることができる。また、筐体の剛性をより高めるには、天井補強板に熱交換器に対する係止手段を設けることが好ましい。
【００１４】
また、ファンリングの前面に取り付けられる空気吹出しグリルの中央を外側に向けて円弧状に膨出させ、これに対応して、プロペラファンの翼後縁をそのグリル中央部側に向かって所定寸法延長することにより、送風性能の改善を図ることができる。
【００１５】
なお、天井補強板を取り付ける余裕がなく、ベルマウスの少なくとも外胴の天井側の一部分を切り欠くような場合には、ベルマウスの残余の部分をプロペラファンによる風速分布が一様となるように楕円状に形成することが好ましい。
【００１６】
【発明の実施の形態】
次に、本発明の実施形態について説明する。まず、図１の分解斜視図、図２の平面透視図および図３の側面透視図を参照して、この実施形態に係る室外機が備える基本的な構成要素について説明する。
【００１７】
この室外機は、ほぼ矩形状に形成されたベース板１００と、ベース板１００の左右両側に配置される左右一対の熱交換器２００，２００とを備えている。この実施形態において、ベース板１００は金属板からなり、その四隅の各々に下側に向けて凸とされた設置用脚部１１０が形成されている。図３には、四隅に配置される設置用脚部１１０の内の２つが示されている。
【００１８】
各熱交換器２００は、その一端側の一部分がベース板１００の背面側に回り込むようにほぼＬ字状に折り曲げられており、この実施形態では左右対称形である。すなわち、部品コスト低減のため、一つの熱交換器２００を左側熱交換器と右側熱交換器とに兼用している。
【００１９】
ベース板１００の背面側のほぼ中央部に、圧縮機３００が設けられる。また、ベース板１００には、圧縮機３００の周りを囲むように仕切り板４００が設置される。この実施形態において、仕切り板４００は板金製であって、熱交換器２００，２００の背面側端部間に配置される開口部４１０を備えている。
【００２０】
仕切り板４００の開口部４１０内には、電装品箱４３０と操作弁取付基板４５０とが取り付けられる。仕切り板４００の前面側（反開口部４１０側）には、モータ支持台５００を介して送風機５５０が取り付けられる。送風機５５０は、ファンモータ５５１とプロペラファン５５３とからなる。
【００２１】
ベース板１００の前面側には、プロペラファン５５３と対向する位置にベルマウス６１０を有するファンリング６００が配置される。ファンリング６００の上部に天井補強板６２０がネジ止めされる。ベース板１００には、組み立て最終工程で、外胴７００が熱交換器２００，２００およびファンリング６００に被せられるとともに、ファンリング６００の前面に吹出しグリル８００が取り付けられる。なお、外胴７００を被せるにあたって、熱交換器２００，２００の上部にはパッキング材２３０，２３０が配置される。また、図示されていないが、天井補強板６２０の上部にも同様のパッキング材が配置される。
【００２２】
図４を参照して、天井補強板６２０の端部には係止片６２１が下方に向けてほぼ直角に折り曲げられており、これに対して、熱交換器２００の前方管寄せ板２１０の上端角部には係止スリット２１１が設けられている。係止片６２１を係止スリット２１１に差し込むことにより、天井補強板６２０と熱交換器２００とが連結される。
【００２３】
図１を参照して、各熱交換器２００の前方管寄せ板２１０には、雌ネジ穴２１２が例えば２箇所に設けられている。これに対応して、ファンリング６００側にもネジ挿通孔６０２が穿設されており、ファンリング６００側からネジ込まれる図示しない雄ネジにより、各熱交換器２００がファンリング６００にネジ止めされる。
【００２４】
熱交換器２００の後方管寄せ板２２０は、仕切り板４００の開口部４１０にある端板４１１にネジ止めされる。ネジはいずれもタッピンネジであってよい。このようにして、熱交換器２００，２００、ファンリング６００および仕切り板４００が一体的に連結される。
【００２５】
天井補強板６２０は、天面側からの荷重に対する強度向上ために設けられるが、本発明において、天井補強板６２０は別の役割を担っている。通常、プロペラファン５５３の送風性能上、ファンリング６００のベルマウス６１０は環状に連続して形成される。
【００２６】
これに反して、この実施形態では、室外機の高さ寸法を低くするため、図１およびファンリング６００の正面図である図５に示すように、ベルマウス６１０の上側の一部分をカットし、そのカットされた部分を補完するため、天井補強板６２０にベルマウス６１０に連続する円弧状の補完凹部６２２を形成している。
【００２７】
これにより、より大径のプロペラファン５５３を使用し、その送風性能を落とすことなく、室外機の高さ寸法を低くしてコンパクト化を図ることができる。図６の斜視図に、ベルマウス６１０の組み立て状態を示す。なお、室外機の高さ寸法をより低くするため、ベルマウス６１０の下側の一部分をもカットする必要がある場合には、ベース板１００側にもベルマウス６１０に連続する円弧状の補完凹部を設ければよい。
【００２８】
また、別の方法として、高さ寸法の制約などから、例えば天井補強板６２０自体を用いることができず、ベルマウス６１０の補完凹部６２２を形成できない場合には、図７に模式的に示すように、本来円形に形成されるベルマウス６１０を参照符号６１０ａで示す楕円形に変更して、プロペラファン５５３とのクリアランスを調整することにより、空気吹出し方向の風速のバランスの均等化を図ることもできる。
【００２９】
次に、図８を追加的に参照して、仕切り板４００は、ベース板１００から外胴７００の天井面７１０までの高さにほぼ等しい高さを有し、その上端には上記天井面７１０を支持する上部フランジ４１２が形成されている。また、仕切り板４００の下端側にも、ベース板１００に対する設置安定性を得るための下部フランジ４１５が形成されている。
【００３０】
この場合、上部フランジ４１２には、モータ支持台５００の上端がネジ止めされる受け板４１３が連設されている。受け板４１３は、モータ支持台５００に対する位置決め用の凹部４１４を備えている。なお、外胴７００を被せる際、熱交換器２００と同じく、上部フランジ４１２にもパッキング材が装着される。
【００３１】
下部フランジ４１５には、ベース板１００に対するネジ止め片４２０が形成されるが、好ましくは図９に例示するように、ネジ止め片４２０の一部分にベース板１００側に向けて斜め下方に折り曲げられた位置決め兼ネジ止め用の係止片４２１を形成し、これに対応して、ベース板１００側には、係止片４２１の相手方となる受け板１２０を形成するとよい。
【００３２】
また、より正確な位置決めを行なうようにするため、ネジ止め片４２０に例えば菱形の位置決め孔４２２を穿設し、これに対応して、ベース板１００側には、位置決め孔４２２内に嵌合する切り起こし舌片１２１を形成するとよい。
【００３３】
図示されていないが、仕切り板４００の内面には遮音材が設けられる。遮音材は樹脂塗膜や発泡樹脂シートであってよい。また、この実施形態においては、仕切り板４００内の温度を適正に維持して圧縮機３００の付属電気部品の長寿命化を図るため、仕切り板４００の一部分には、放熱用のルーバー４２３が形成されている。
【００３４】
この実施形態においては、圧縮機３００の側方にアキュムレータ３１０が付設されているため、図２に例示されているように、仕切り板４００は左側壁がフラットであるのに対して、アキュムレータ３１０が存在する右側壁側が出っ張る左右非対称形となっている。
【００３５】
したがって、右側熱交換器２００側の通風抵抗が左側熱交換器２００の通風抵抗よりも高くなり、左右の熱交換器で吸込風量が異なることになる。そこで、本発明では、吸込風量が多い方の熱交換器側（この例では左側熱交換器２００）の熱交換能力を吸込風量が少ない方の熱交換器側（この例では右側熱交換器２００）の熱交換能力よりも大きく設定して、熱交換能力の適正化と低騒音化を図るようにしている。
【００３６】
その一つの方法として、この実施形態では図２のように、冷媒配管を左側熱交換器２００側では例えば２列（２パス）とし、右側熱交換器２００側では例えば１列（１パス）としているが、別の方法として、熱交換器のフィンピッチもしくはフィン幅を異ならせてもよく、また、熱交換器のフィンに設けられるスリットもしくはルーバーの数や形状を異ならせるようにしてもよい。
【００３７】
なお、この実施形態とは異なり、アキュムレータ３１０を圧縮機の背面側もしくは前面側に配置して、仕切り板４００を左右対称形状とすることにより、左右の熱交換器２００，２００を通過する吸込風量がほぼ等しくなるため、各熱交換器に熱交換能力の等しい同一の熱交換器を用いることができる。したがって、その分、部品点数を削減できコスト低減が図れる。
【００３８】
図１０を追加的に参照して、モータ支持台５００は仕切り板４００の前面側に配置され、筐体の剛体化を図るため、仕切り板４００とともに外胴７００の天井面７１０を支持するように、その上端が仕切り板４００の上端に固定され、下端側がベース板１００に固定される。
【００３９】
この実施形態において、モータ支持台５００は梯子状に形成され、その中央部にファンモータ５５１の取付孔５１０を備えている。モータ支持台５００の上部には、仕切り板４００の受け板４１３に被せるようにして取り付けられる上枠５２０が設けられている。上枠５２０のほぼ中央には、受け板４１３の凹部４１４に嵌合する位置決め凹部５２１が形成されており、凹部４１４と凹部５２１とがタッピンネジによって固定される。
【００４０】
また、モータ支持台５００の側枠５３０には、ファンモータ５５１の振動を抑えるため、仕切り板４００の前面に当接して同仕切り板４００との間隔を一定に保つスペーサ５３１が設けられている。
【００４１】
この場合、スペーサ５３１は、側枠５３０から一体に折り曲げられた板材からなるが、仕切り板４００に対する振動伝達面を小さするため、図１１に示すように、絞り加工による凸部５３２が形成されている。なお、図１０には一方の側枠５３０側のスペーサ５３１しか示されていないが、他方の側枠５３０側にも同様に設けられている。
【００４２】
また、モータ支持台５００の下枠５４０には、ベース板１００に対する固定フランジ５４１が連設されている。固定フランジ５４１は、ベース板１００に対して広い面積で接触するように下枠５４０から前方に向けてほぼ直角に折り曲げられているとともに、モータ支持台５００の幅よりも広幅となるように左右に広がる翼片５４２，５４２を備えている。
【００４３】
モータ支持台５００は、固定フランジ５４１およびその左右の翼片５４２，５４２を介してベース板１００に対してネジ止めされ、これにより、ベース板１００との一体化が図れ、ファンモータ５５１の振動がより効果的に抑えられる。
【００４４】
先に説明したように、ベース板１００の四隅には設置台に対する設置用脚部１１０（図３参照）が設けられているが、図１２を参照して、ベース板１００には設置用脚部１１０とは別に、圧縮機３００の周りに、同ベース板１００を下側に例えば断面半円状（樋状）に凹ませてなる圧縮機用支持脚１３０が少なくとも３箇所に設けられている。
【００４５】
圧縮機用支持脚１３０は、圧縮機３００の周りに同心円上に等間隔で配置されるとともに、その各々が平面視で圧縮機３００を中心とする所定曲率の円弧状に形成されることが好ましい。圧縮機用支持脚１３０の高さは、設置用脚部１１０よりも低く、圧縮機３００の重量によるベース板１００の撓みにより設置台に接する高さに設定される。
【００４６】
この圧縮機用支持脚１３０により、圧縮機３００によるベース板１００の振動が抑制され、また、仮にベース板１００に搬送時などの落下衝撃により歪が生じたとしても、圧縮機１００が傾いて設置されるおそれがなくなる。
【００４７】
図１３の背面側斜視図を参照して、電装品箱４３０と操作弁取付基板４５０は、仕切り板４００の開口部４１０内に電装品箱４３０を上として縦一列に並ぶように装着されている。
【００４８】
電装品箱４３０は、主な電気部品として、ターミナル（配線接続部）４３１、圧縮機用キャパシタ４３２およびファンモータ用キャパシタ４３３などを備えており、また、操作弁取付基板４５０には、二方操作弁４５１と三方操作弁４５２とが設けられている。
【００４９】
本発明によると、二方操作弁４５１と三方操作弁４５２は、水平方向に所定の間隔をもって離された上で、三方操作弁４５２が上側に、そして二方操作弁４５１がそれよりも下側に配置され、これにより三方操作弁４５２のサービスバルブ付近をオープンにし、図示しないチャージホースを接続しやすくしている。なお、二方操作弁４５１の取付角度は三方操作弁４５２側に傾けることが好ましい。
【００５０】
また、電装品箱４３０側については、ターミナル４３１が三方操作弁４５２側ではなく、二方操作弁４５１の上方に配置される。このような配置形態をとることにより、図１４に示されているように、室内機と接続する接続配管ＣＰの二方操作弁４５１と三方操作弁４５２とに対する接続作業が容易に行えるとともに、電気コードＣＡについても、三方操作弁４５２に接続される太管に邪魔されることなくターミナル４３１に容易に接続することが可能となる。
【００５１】
次に、ファンリング６００に取り付けられる吹出しグリル８００について説明する。この室外機では、例えば図６に示されているように、吹出しグリル８００のグリル中央部８１０を外側に向けて円弧状に膨出させ、その形状に合わせてプロペラファン５３３の翼後縁を延長することにより、送風性能の改善を図っている。なお、プロペラファン５３３の翼後縁とは、送風方向の下流側に位置する縁である。
【００５２】
この実施形態において、プロペラファン５３３は３枚羽根であるが、図１５（ａ）にその内の１枚を斜視図にて示し、そのＡ−Ａ線に沿った螺旋方向の断面を図１５（ｂ）に示す。これらの図において、斜線部分がプロペラファン５３３の延長部分５３４であり、実際にこの延長部分５３４の螺旋方向に沿った幅Ｗ１を２０ｍｍ（プロペラファンの軸線方向に沿った幅Ｗ２で１６ｍｍ）として、延長部分のないプロペラファン（比較例）と送風性能を比較した。
【００５３】
その結果、図１６の風量−回転数の対比グラフから分かるように、同じ回転数では本発明例の方が風量８０ｍ３／ｈ分増加しているが、図１７の回転数−騒音の対比グラフからすると、騒音値は同じ回転数では本発明例の方が０．８ｄＢだけ高い。しかしながら、図１８の風量−騒音の対比グラフからすると、同じ風量で本発明例の方が騒音値は０．６ｄＢ低い。したがって、全体的評価では送風性能が改善されたと言える。
【００５４】
【発明の効果】
以上説明したように、本発明によれば、送風機および圧縮機が搭載されたほぼ矩形状のベース板と、ベース板の少なくとも側面側に配置された熱交換器と、ベース板の前面側に配置されたベルマウスを有するファンリングと、ファンリングおよび上記熱交換器を上から押さえるように上記ベース板に被せられる外胴とを含み、送風機のプロペラファンの少なくとも一部分がベルマウス内に入り込むように配置されているスプリット型エアコンの室外機において、ファンリングの上部に外胴の天井側を補強する天井補強板を設け、その天井補強板側にベルマウスの一部分を形成したことにより、送風性能を維持しながら、送風機のプロペラファン径やベルマウス径による制約を受けることなく筐体の高さ寸法をより低くすることができる。
【００５５】
また、ほぼ矩形状に形成されたベース板の左右両側に、各一端側の一部分が背面側に回り込むようにほぼＬ字状に折り曲げられた左右一対の熱交換器を配置するとともに、ベース板の背面側のほぼ中央部に圧縮機を配置して、この圧縮機の周りを各熱交換器の背面側端部間に配置される開口部を有する仕切り板で囲い、この仕切り板の前面側にモータ支持台を介して送風機を配置するとともに、ベース板の前面側にファンリングを配置して、外胴をファンリングおよび熱交換器の上から被せて抑える一方で、仕切り板で外胴の天井面を支持し、仕切り板の開口部内に電装品箱と操作弁取付基板を装着するようにしたことにより、剛性が高い筐体構造を有するとともに、運転時の騒音・振動がともに少なく、しかも高性能でよりコンパクト化されたスプリット型エアコンの室外機が提供される。
【図面の簡単な説明】
【図１】本発明の実施形態に係る室外機の分解斜視図。
【図２】上記室外機の平面透視図。
【図３】上記室外機の側面透視図。
【図４】上記室外機に用いられる天井補強板と熱交換器の係止手段の構成を示した要部分解斜視図。
【図５】上記室外機に用いられるファンリングの正面図。
【図６】上記ファンリング周りの組み立て状態を示した斜視図。
【図７】上記ファンリングの変形例を模式的に示した正面図。
【図８】上記室外機に用いられる仕切り板を示した斜視図。
【図９】上記仕切り板の好適な位置決め要素を示した斜視図。
【図１０】上記仕切り板にモータ支持台を取り付けた状態を示す斜視図。
【図１１】上記モータ支持台が備える当接板の断面図。
【図１２】圧縮機周りのベース基板に形成される圧縮機用支持脚を示した平面図。
【図１３】上記仕切り板に電装品箱と操作弁取付基板を装着した状態を示す背面図。
【図１４】配管および配線状態を示した図１３と同様の背面図。
【図１５】上記室外機に用いられるプロペラファンの好適例を示した斜視図およびその断面図。
【図１６】上記プロペラファンの風量−回転数の対比グラフ。
【図１７】上記プロペラファンの回転数−騒音の対比グラフ。
【図１８】上記プロペラファンの風量−騒音の対比グラフ。
【図１９】従来の室外機の内部配置構造を示した模式的平面図。
【符号の説明】
１００  ベース板
１１０  設置用脚部
１３０  圧縮機用支持脚
２００  熱交換器
２１０  前方管寄せ
２２０  後方管寄せ
３００  圧縮機
３１０  アキュムレータ
４００  仕切り板
４１０  開口部
４３０  電装品箱
４３１  ターミナル
４５０  操作弁取付基板
４５１  二方操作弁
４５２  三方操作弁
５００  モータ支持台
５１０  モータ取付孔
５２０  上枠
５３０  側枠
５３１  スペーサ
５４０  下枠
５４１  固定フランジ
５５０  送風機
５５１  ファンモータ
５５３  プロペラファン
６００  ファンリング
６１０  ベルマウス
６２０  天井補強板
６２１  係止片
６２２  補完凹部
７００  外胴
７１０  天井面
８００  吹出しグリル
８１０  グリル中央部
【図１】
0004623253.tif 000002
【図２】
0004623253.tif 000003
【図３】
0004623253.tif 000004
【図４】
0004623253.tif 000005
【図５】
0004623253.tif 000006
【図６】
0004623253.tif 000007
【図７】
0004623253.tif 000008
【図８】
0004623253.tif 000009
【図９】
0004623253.tif 000010
【図１０】
0004623253.tif 000011
【図１１】
0004623253.tif 000012
【図１２】
0004623253.tif 000013
【図１３】
0004623253.tif 000014
【図１４】
0004623253.tif 000015
【図１５】
0004623253.tif 000016
【図１６】
0004623253.tif 000017
【図１７】
0004623253.tif 000018
【図１８】
0004623253.tif 000019
【図１９】
0004623253.tif 000020